【事件の表示】
　商願２００１−２２８４６拒絶査定に対する審判事件について、次のとおり審決する。
【結　論】
　原査定を取り消す。
　本願商標は、登録すべきものとする。
【理　由】
１　本願商標
　本願商標は、「不二子」の文字（標準文字）を書してなり、第９類及び第２８類に属する願書に記載の商品を指定商品として、平成１３年３月１４日に登録出願、その後、指定商品については、平成１４年２月１３日付け手続補正書及び当審における平成１４年１０月１日付け手続補正書をもって、第９類「スロットマシン」及び第２８類「ぱちんこ器具，その他の遊戯用器具，ビリヤード用具」と補正されたものである。
　
２　引用商標
　原査定において、本願の拒絶の理由に引用した登録第１９６１６０８号商標（以下「引用商標１」という。）は、「フジコー」の文字を書してなり、昭和５２年１２月１３日に登録出願され、第９類「ガス漏れ警報器、その他本類に属する商品」を指定商品として、昭和６２年６月１６日に設定登録され、現に有効に存続しているものである。
　同じく、登録第２０５８８２６号商標（以下「引用商標２」という。）は、別掲に示すとおりの構成よりなり、昭和５２年１２月２６日に登録出願され、第９類「閉止弁、その他本類に属する商品」を指定商品として、昭和６３年６月２４日に設定登録され、現に有効に存続しているものである。
　同じく、登録第３２８１３２７号商標（以下「引用商標３」という。）は、「Ｆｕｊｉｃｏ」の欧文字を書してなり、平成６年３月１８日に登録出願され、第１６類「印刷物，書画，写真，写真立て」を指定商品として、平成９年４月１８日に設定登録されたものである。
　同じく、２０００年商標登録願第１３９１２８号（登録第４５７３９０９号）商標（以下「引用商標４」という。）は、「フジコー」の文字と「ＦＵＪＩＫＯＨ」の欧文字を２段に横書きしてなり、平成１２年１２月２５日に登録出願、第６類「建築用又は構築用の金属製専用材料，金属製建造物組立てセット，液体貯蔵槽，工業用水槽，液化ガス貯蔵槽，ガス貯蔵槽，ガス貯蔵槽又は液化ガス貯蔵槽用のアルミニウム製の浮中ぶた，滑車，ばね，ガス用金属製バルブ，その他のバルブ，高圧ガス容器，その他の金属製包装用容器（「金属製栓・金属製ふた」を除く。），金属製栓，金属製ふた，金属製荷役用パレット，荷役用ターンテーブル，荷役用トラバーサー，金属製人工魚礁，金属製セメント製品製造用型枠，金属製の可搬式家庭用温室，金属製の吹付け塗装用ブース，金属製養鶏用かご，金属製航路標識（発光式のものを除く。），金属製道路標識（発光式又は機械式のものを除く。），てんてつ機，金属製管継ぎ手，金属製フランジ，キー，コッタ，いかり，金属製ビット，金属製ボラード，金網，ワイヤロープ，金属製靴ぬぐいマット，金属製ブラインド，金属製立て看板，金属製彫刻，つえ用金属製石突き，金属製あぶみ，拍車」、第７類「金属加工機械器具，鉱山機械器具，土木機械器具，荷役機械器具，化学機械器具，繊維機械器具，食料加工用又は飲料加工用の機械器具，製材用・木工用又は合板用の機械器具，パルプ製造用・製紙用又は紙工用の機械器具，印刷用又は製本用の機械器具，包装用機械器具，プラスチック加工機械器具，半導体製造装置，ゴム製品製造機械器具，石材加工機械器具，動力機械器具（陸上の乗物用のものを除く。），風水力機械器具，農業用機械器具，漁業用機械器具，ミシン，ガラス器製造機械，靴製造機械，製革機械，たばこ製造機械，機械式の接着テープディスペンサー，自動スタンプ打ち器，起動器，交流電動機及び直流電動機（陸上の乗物用の交流電動機及び直流電動機（その部品を除く。）を除く。），交流発電機，直流発電機，都市ガス・ＬＰガス又は合成ガスをエネルギー源とするコージェネレーション装置，発電機，機械式駐車装置，芝刈機，修繕用機械器具，食器洗浄機，電気式ワックス磨き機，電気洗濯機，電気掃除機，電気ミキサー，電機ブラシ，電動式カーテン引き装置，陶工用ろくろ，塗装機械器具，乗物用洗浄機，廃棄物圧縮装置，廃棄物破砕装置，機械要素（陸上の乗物用のものを除く。），ガス用ろ過器，液化石油ガスボンベの搬入装置並びに液化石油ガス充填装置」、第９類「配電用又は制御用の機械器具，回転変流機，調相機，電池，電気磁気測定器，電線及びケーブル，眼鏡，救命用具，電気通信機械器具，レコード，メトロノーム，電子応用機械器具及びその部品，オゾン発生器，電解槽，ロケット，遊園地用機械器具，スロットマシン，運動技能訓練用シミュレーター，乗物運転技能訓練用シミュレーター，電気アイロン，電気式ヘアカーラー，電気ブザー，乗物の故障の警告用の三角標識，発光式又は機械式の道路標識，鉄道用信号機，火災報知機，ガス漏れ警報器，ガス漏れ検知器，盗難警報器，消火器，消火栓，消火ホース用ノズル，スプリンクラー消火装置，消防艇，消防車，自動車用シガーライター，保安用ヘルメット，防じんマスク，防毒マスク，溶接マスク，磁心，抵抗線，電極，ガソリンステーション用装置，自動販売機，駐車場用硬貨作動式ゲート，金銭登録機，硬貨の計数用又は選別用の機械，作業記録機，写真複写機，手動計算機，製図用又は図案用の機械器具，タイムスタンプ，タイムレコーダー，電気計算機，パンチカードシステム機械，票数計算機，ビリングマシン，郵便切手のはり付けチェック装置，計算尺，潜水用機械器具，アーク溶接機，金属溶断機，電気溶接装置，家庭用テレビゲームおもちゃ，検卵器，電動式扉自動開閉装置」、第１１類「電球類及び照明用器具，工業用炉，原子炉，ボイラー，業務用揚物器，業務用食器乾燥機，業務用炊飯器，業務用煮炊釜，業務用焼物器，業務用レンジ，冷凍機械器具，飼料乾燥装置，牛乳殺菌機，乾燥装置，換熱器，蒸煮装置，蒸発装置，蒸留装置，熱交換器，ガス温水式床暖房，コージェネレーションシステムにより行う給湯冷暖房装置，その他の暖冷房装置，便所ユニット，浴室ユニット，美容院用又は理髪店用の機械器具（いすを除く。），太陽熱利用温水器，浄水装置，家庭用電熱用品類，水道用栓，タンク用水位制御弁，パイプライン用栓，汚水浄化槽，し尿処理槽，業務用ごみ焼却炉，ガス栓，ガス機器の調節用又は安全用の付属装置」及び第１７類「ゴム，糸ゴム及び被覆ゴム糸（織物用のものを除く。），化学繊維糸（織物用のものを除く。），化学繊維（織物用のものを除く。），ゴム製又はバルカンファイバー製のバルブ（機械要素に当たるものを除く。），ゴムひも，石綿ひも，ゴム製包装用容器，ゴム製栓，ゴム製ふた，プラスチック基礎製品，石綿，岩石繊維，鉱さい綿，石綿網，石綿糸，石綿織物，石綿製フェルト，岩石繊維製防音材（建築用のものを除く。），石綿の板，石綿の粉，コンデンサーペーパー，石綿紙，バルカンファイバー，電気絶縁材料，オイルフェンス，ガスケット，管継ぎ手（金属製のものを除く。），パッキング，消防用ホース，ガス用のゴムホース，石綿製防火幕，農業用プラスチックフィルム」を指定商品として、平成１４年５月３１日に設定登録され、その後、その指定商品中「スロットマシン」については、平成１４年１０月１８日に請求人を商標権者としてその商標権の分割移転登録がされているものである。
　
３　当審の判断
　本願商標は、「不二子」の文字よりなり、指定商品については、第９類「スロットマシン」及び第２８類「ぱちんこ器具，その他の遊戯用器具，ビリヤード用具」に補正されたものである。
　前記補正の結果、本願商標の指定商品は、引用１商標、同２商標及び同３商標の指定商品と同一又は類似の商品について、すべて削除されたものと認め得るところである。
　そして、引用商標４の商標権は、上記のとおり、その一部が請求人に分割移転されているものである。
　そして、請求人に移転されなかった引用商標４の指定商品には、本願商標の指定商品と同一又は類似する商品が含まれていないものと認めることができる。
　したがって、本願商標が商標法第４条第１項第１１号に該当するとして本願を拒絶した原査定の拒絶の理由は解消した。
　その他、政令で定める期間内に本願について拒絶の理由を発見しない。
　よって、結論のとおり審決する。